Podtech/llm-jp-corpus-v4-ja_patent huggingface dataset:
(57)【要約】【課題】従来の墓地（霊園）は、墓地（霊園）用の土地が必要であり、取得困難であった。又、墓石等も高価であり、画一化されており、個性が無かった。コンピュータ上の３次元の映像で作成された、バーチャル墓地（霊園）が無かった。【解決手段】３ＤＣＧ（３次元コンピュータグラフィックス）技術により、バーチャル空間（コンピュータ上で作成された映像空間）上に、バーチャル墓地（霊園）を実現する手段を提供する。【特許請求の範囲】
【請求項１】
墓地、霊園、墓所、霊廟、バーチャル墓地（霊園）、ピラミッド、陵墓、古墳、仏塔、卒塔婆、五輪塔、奥都城、墳墓、墓石、墓碑、ペットの墓地（霊園）、故人の記念品／メモリアル、生きている人の記念品／メモリアル。
【発明の詳細な説明】
【技術分野】
【０００１】本発明は、バーチャル空間（コンピュータ上で作成された映像空間）上に、墓地（霊園）を作る方法に関する。
【背景技術】
【０００２】３ＤＣＧ（３次元コンピュータグラフィックス）技術により、３次元の映像作成技術が進歩した。
ブロードバンドの普及により、インターネットでの映像・音声のスムーズな送受信が可能となった。
【発明の開示】
【発明が解決しようとする課題】
【０００３】従来の墓地（霊園）は、墓地（霊園）用の土地が必要であり、取得困難であった。
又、墓石等も高価であり、画一化されており、個性が無かった。
コンピュータ上の３次元の映像で作成された、バーチャル墓地（霊園）が無かった。【０００４】本発明はこうした課題に鑑みてなされたものであり、その目的は、バーチャル空間（コンピュータ上で作成された映像空間）上に、墓地（霊園）を作ることを実現することである。
【課題を解決するための手段】
【０００５】上記課題を解決するために、本発明は、３ＤＣＧ（３次元コンピュータグラフィックス）技術により、バーチャル空間（コンピュータ上で作成された映像空間）上に、バーチャル墓地（霊園）を作ることを実現する手段を提供するものである。【０００６】従来の墓地（霊園）は、墓地（霊園）用の土地が必要であり、取得困難であった。
又、墓石等も高価であり、画一化されており、個性が無かった。
本発明は、バーチャル空間（コンピュータ上で作成された映像空間）上に、墓地（霊園）を作る方法を実現する。
バーチャル墓地（霊園）を、安価に手軽に自由に作ることができる。
３ＤＣＧ（３次元コンピュータグラフィックス）技術により、バーチャル空間（コンピュータ上で作成された映像空間）上に、バーチャル墓地（霊園）を作る。
バーチャル墓地（霊園）を作るシステムとして、データ・センター、サーバ・システム、電力会社の電力供給のように情報を蓄積し情報を供給するコンピュータ・システム等が考えられる。
バーチャル墓地（霊園）を見る装置としては、パソコン、テレビ、携帯電話、ＰＤＡ（ＰＥＲＳＯＮＡＬ  ＤＡＴＡ  ＡＳＳＩＳＴＡＮＴ）、ゲーム機、携帯情報端末等が考えられる。
又、バーチャル墓地（霊園）の映像・音声等はインターネット経由、もしくは有線（光ネットワーク含む）、無線（無線ネットワーク含む）で送受信することができる。
コンピュータ上で作成された映像空間上に、自由な形と大きさの、墓石／仏壇／神棚を作ることができる。
墓石以外の記念品（付属品）／メモリアルとして、戒名、遺言書、墓碑銘、辞世の句、履歴書、自伝、手紙、足跡等も、コンピュータ上の情報空間に埋め込むことが可能である。
又、故人の写真、故人の映像、故人の音声等も、コンピュータ上の情報空間に埋め込むことが可能である。
人間だけでなく、ペット用としても作ることが可能である。
故人のメモリアル、もしくは生きている人のメモリアルとして、コンピュータ上の情報空間に作ることも可能である。
又、現実の墓石とバーチャルメモリアル（コンピュータ上の情報空間上の遺言書、墓碑銘、辞世の句、履歴書、自伝、手紙、足跡等、故人の写真、故人の映像、故人の音声等）を、結びつけて構築することも可能である。
(57)【要約】【課題】  高出力のＬＥＤが量産されるようになり、照明用ＬＥＤランプとして実用化が進んでいることで、ＬＥＤを容易に調光させたいという要望が高まっている。【解決手段】  照明用ＬＥＤモジュールを光源とし、放熱フィンを兼ねた筐体で電球形状に形成し、白熱電球用の口金を用いたＬＥＤランプで、位相制御方式のＬＥＤ調光器で外部調光可能な小型電源を内蔵した調光タイプ電球形照明用ＬＥＤランプを完成させた。これにより従来の白熱電球に比較して省エネで寿命が長く、電球形の口金を装着したことによって簡単に取付け可能となり、幅広い利用が可能となった。【選択図】図１
2009043694.tif 000002
【特許請求の範囲】
【請求項１】
照明用ＬＥＤモジュールを光源とし、放熱フインを兼ねた筐体で電球形状に形成し、白熱電球用の口金を用いたＬＥＤランプであって、位相制御方式ＬＥＤ調光器で外部調光可能な小型電源を内蔵した調光タイプ電球形照明用ＬＥＤランプ。
【請求項２】
請求項１に記載の電球内に内蔵されている小型電源は、電力用変成器、チョークコイル、ダイオード、フィルムコンデンサー、電解コンデンサー、ＩＣ等から構成されており、外部に設けたＬＥＤ調光器によって電源を得る請求項１に記載の調光タイプの電球形照明用ＬＥＤランプ。
【請求項３】
電球形状をした口金はＥ２６／Ｅ１７とすることを特徴とした請求項１に記載の調光タイプ電球形照明用ＬＥＤランプ。
【発明の詳細な説明】
【技術分野】
【０００１】  本発明は、ＬＥＤ調光器で外部から調光可能な小型電源を内蔵した口金付の調光タイプ電球形照明用ＬＥＤランプに関する。
【背景技術】
【０００２】  高出力のＬＥＤは発光効率の改善が進み、年々明るさが増加し、照明用ＬＥＤランプへの応用も進みつつある。これらの高出力ＬＥＤを照明用として見た場合、ＬＥＤ単体では電球や蛍光灯と比較して明らかに光量が不足している。したがってＬＥＤを集合したり独自な形状の照明器具として光源を作り、調光に対応しているものが殆どであった。
【特許文献１】  特願２００７−２０９２６号公報
【発明の開示】
【発明が解決しようとする課題】
【０００３】  高出力のＬＥＤが量産されているようになり、照明用ＬＥＤランプとして実用化が進んでいることでＬＥＤを容易に調光させたいという要求が高まってきている。
【課題を解決するための手段】
【０００４】  発明者は白熱電球に近いＬＥＤランプを実現するため鋭意研究を重ねた結果本発明に到達したものであって、本発明は照明用ＬＥＤモジュールを使用して電球形照明用ランプに位相制御方式ＬＥＤ調光器で外部調光できる小型電源を内蔵させることを特徴としたものである。【０００５】  従来の白熱電球の調光器にＬＥＤランプを接続した場合は連続的な調光ができないためＬＥＤの特性に合わせた調光カーブを持った位相制御方式のＬＥＤ調光器に対応する小型内蔵電源が必要となった。【０００６】  本発明は新たに開発した小型調光対応電源を口金付ＬＥＤランプに内蔵したことでＬＥＤランプ単体と調光器の組合せから室内に配置した複数個の調光タイプ電球形照明用ＬＥＤランプを１台のＬＥＤ調光器で連続的な調光制御が可能となったものである。
【発明の効果】
【０００７】  本発明は、電球形照明用ランプの特徴を生かし、さらに内蔵する小型電源を位相制御方式のＬＥＤ調光器に対応させたことで室内照明に必要な調光可能な電球形ＬＥＤ照明用ランプが実現できた。本発明はこれによって照明分野においてより幅広い用途が期待され、その利用効果は特に著しい。
【発明を実施するための最良の形態】
【０００８】  添付図面により本発明の実施するための最良の形態を説明すると、図１は本発明の電球形ＬＥＤランプの全形を示す側面図であり、図２は組立分解された詳細図である。図において、（１）は拡散レンズ、（２）は照明用ＬＥＤモジュール、（３）は放熱フインを設けた筐体の一部であって、（５）の電源フードと接続して電球形状を形成する。（４）は図３で詳記する小型電源である。（６）は電球形の口金を示し、（７）は放熱フインを設けた筐体の一部であって前記（３），（５）と共に電球の外側を形成する。従ってこれらが組立てられて図１の電球形ＬＥＤランプＡが形成される。図示においては、（１）に拡散レンズを用いているが、これは平板でもよく、また口金の種類もＥ２６／Ｅ１７といずれでもよく、これまでの白熱電球用の照明器具に簡単に取付けることができる。【０００９】  図３は前記小型電源（３）の平面構造図であり、図４は同側面図を示している。この小型電源（３）は図示されているように電力用変成器（Ｔ１），チョークコイル（Ｌ２），ダイオード（Ｄ２），フィルムコンデンサー（Ｃ１），（Ｃ２），電解コンデンサー（Ｃ５），ＩＣ等から構成されている。そして図中のＷ３，Ｗ４はＤＣ出力側のコード，Ｗ１，Ｗ２はＡＣ入力側のコードを示している。そしてこれらはプリント基板上に配置され、全体として図示されているように直径３４ｍ／ｍと小型に納められている。【００１０】  図５，図６は外部ＬＥＤ調光器と小型電源（３）との調光関係を示す説明図である。調光動作は調光器入力電圧波形（Ｓｉｍ波）の導通角を制御して調光する。ＬＥＤ電源は入力電圧の導通角に比例した直流電流を出力する。
【実施例】
【００１１】  本発明の電球形照明用ＬＥＤランプは、図１及び図２に示すようにＥ２６／Ｅ１７とすることで、これまでの白熱電球用の照明器具に簡単に取付けることができる。そして白熱電球と同等の光量でありながら約４０倍（４万時間）の寿命が期待できること、電源を含めた消費電力が約４Ｗと従来の電球に比較して１／５の省エネＬＥＤランプである。【００１２】  さらに外部に設置した位相制御方式のＬＥＤ専用調光器を介したＡＣ１００Ｖラインに接続することで室内照明を調光対応のＬＥＤ照明とすることができるばかりか、内蔵する小型電源を位相制御方式の調光器に対応させることで室内照明で必要な調光可能な電球形ＬＥＤ照明用ランプを実現することができた。
【産業上の利用可能性】
【００１３】  上述のように本発明の電球形ＬＥＤ照明用ランプは、白熱電球に比較して省エネで寿命が長く、しかも各色調の電球が採用できるため、室内照明用としてはもとより装飾用としても利用できる。そして電球形であるため簡単に取付け可能であって従来どおりの照明分野において幅広い利用が期待できる。
【図面の簡単な説明】
【００１４】
【図１】  電球形ＬＥＤ照明用ランプの全体を表わす側面図
【図２】  分解説明図
【図３】  電球内に内蔵する小型電源の構造平面図
【図４】  同側面図
【図５】  電球とＬＥＤ調光器の配置図
【図６】  ＬＥＤ調光器対応電流図
【符号の説明】
【００１５】  （１）…拡散レンズ
（２）…照明用ＬＥＤモジュール
（３）…筐体の一部
（４）…小型電源
（５）…電源フード
（６）…電球形口金
（７）…放熱フインを設けた筐体
Ａ…本発明の電球形ＬＥＤランプ
【図１】
2009043694.tif 000003
【図２】
2009043694.tif 000004
【図３】
2009043694.tif 000005
【図４】
2009043694.tif 000006
【図５】
2009043694.tif 000007
【図６】
2009043694.tif 000008
(57)【要約】      （修正有）【課題】同一の装置により、個人情報覗き見を困難にするとともに、夜間における異変を容易に認識できる照明を施し得ることにある。【解決手段】サービススタンド本体１を前方に開口する開口部を設けた函状に形成し、該開口部の近傍内腔に発光ダイオード３を上下方向に複数並設する発光ダイオード取付部材４を嵌合固着し、前記開口部に透明なガラス又は合成樹脂を用いて前方を閉止し、基端部に開口部６を設け、表面に光の乱反射を惹起する板状体７を貼布した突出部５を固着した突出部取付部材９を前記開口部６と対向するよう固着する。【選択図】図３
2009169562.tif 000002
【特許請求の範囲】
【請求項１】
サービススタンド本体１を前方に開口する開口部２を設けた函状に形成し、該開口部２の近傍内腔に発光ダイオード３を上下方向に複数並設する発光ダイオード取付部材４を嵌合固着し、前記開口部２に、透明なガラス又は合成樹脂を用いて前方を閉止し、基端部に開口部６を設け、表面に光の乱反射を惹起する板状体７を貼布した突出部５を固着した突出部取付部材９を、前記発光ダイオード３と前記開口部６とが互いに対向するよう固着したことを特徴とするサービススタンド。
【発明の詳細な説明】
【技術分野】
【０００１】
本発明は、キャッシュコーナーに設けるサービススタンドの改良に関するものである。
【背景技術】
【０００２】
いわゆるキャッシュコーナーは、現金自動預入支払機（以下「ＡＴＭ」という。）などを設け、多数の人に利便を提供する反面、現金を対象とする設備であるため、種々の問題を伴うものである。その設けられる環境により、問題は単一ではなく、それぞれの環境に応じた解決策が求められる。例えば、銀行等の金融機関内に設けられた場合、無人の店舗等に設けられた場合、或いはコンビニエンスストアに設けられた場合など、その設置環境に応じた配慮が必要となる。金融機関等に複数のＡＴＭが並設されている場合には、隣接機の利用者を装った者から暗証番号など個人情報を覗き見される危険性があるし、無人の店舗等に設けられている場合には、例えば夜間においてキャッシュコーナーが存在することを通行人等が意識せず、万一、犯罪が行われていても気付かずに通り過ぎる危険性があるし、コンビニエンスストアに設けられている場合には、キャッシュコーナーの背後を買物客らが行き来し、個人情報を覗き見される危険性がある。これらの危険を簡易に回避する共通の手段は、未だ提案されていない。
【非特許文献１】宮原諄二著  「白い光のイノベーション」  朝日新聞社  ２００５年
【発明の開示】
【発明が解決しようとする課題】
【０００３】
解決しようとする問題点は、同一の装置により、前記個人情報覗き見の危険性については、これを困難にし、夜間における危険性については、通行人らが格別の注意力を払うまでもなく、キャッシュコーナーの存在を認識し、かつ、異変があればその異変を容易に気付かせるに足りる照明を施し得るようにする点である。
【課題を解決するための手段】
【０００４】
本発明に係るサービススタンドは、キャッシュコーナーに設置されたＡＴＭ等機器の両側面（ＡＴＭ等が複数並設されているときは中間機器にあっては機器の間）に設置するが、手前端部に突出部を取着形成し、覗き見を遮蔽できるようにするとともに、該突出部から乱反射光を生じさせるようにして、ＡＴＭ等表示部の覗き見を企図する者に該表示部を見にくくするとともに、夜間においては、前記突出部の放つ乱反射光により、キャッシュコーナーの存在を認識し得る照明となるよう構成したことを最も主要な特徴とする。
【発明の効果】
【０００５】
本発明のサービススタンドは、前記効用の外、インターホーンの取付、非常ベルの設置、メールオーダー用申込用紙・現金収納封筒等の備付棚、或いは不要物投入口等（以下「付設機器類」という。）を設けることにより、ＡＴＭ等機器周辺が簡潔に整理可能となるという利点がある。
【発明を実施するための最良の形態】
【０００６】
前記突出部の光源には上下方向に並設する複数の発光ダイオードを用い、光源として蛍光灯などに比し輝度が大であり、方向性を有するその特徴に基づき前記突出部に必要光量を導き、同突起部表面に乱反射を惹起する板状体例えばフロストシートを貼布することにより、乱反射光を発生させるようにした。
【実施例１】
【０００７】
図１は、本発明に係るサービススタンド外形の概要を示す斜視図、図２は、光源の並設を示す説明図、図３は、図１のＡ―Ａ´線における横断面図、図４は、ＡＴＭ等機器を複数並設する場合のサービススタンドの配置例を示す説明図である。
【０００８】
サービススタンド本体１は、図１に示すように、例えばスチールなどで前方に開口する函状に形成し、その前部に透明なガラス又は合成樹脂を用いて空洞に形成した突出部５を後記の手段により固着するが、該突出部５の表面には光の乱反射を惹起する板状体７を適宜の手段で貼布してある。該板状体７は例えばフロストシートなどを用いることができる。なお、前記サービススタンド本体１には、インターホーン等の付設機器類１１を設けることができる。
【０００９】
図２に示すように、サービススタンド本体１の開口部２の近傍内腔には複数の発光ダイオード３を上下方向に並設する発光ダイオード取付部材４を嵌合して適宜の手段で固着する。また、図３に示すように、前記突出部５は、前端を閉止し、基端部に開口部６を形成し、例えば取付金具８を用いて突出部取付部材９に締着し、前記サービススタンド本体１の開口部２に突出部取付部材９を適宜の手段で固着する。この場合、前記発光ダイオード３と突出部５の開口部６とが互いに対向する位置にあるようにする。
【００１０】
既に述べたように、本発明に係るサービススタンドは、その効用の一としてＡＴＭ１０等の機器操作に際し個人情報を覗き見されることを防ぐことにあるので、ＡＴＭ１０等機器の設置される環境に応じて配置される。即ち、該設置機器が１機であるときは、その両側にサービススタンド１を配置するが、ＡＴＭ１０等設置機器が複数であるときは、図４に示すように該設置機器数に１を加えた数のサービススタンド１を設置することになる。
【産業上の利用可能性】
【００１１】
本発明に係るサービススタンドは、個人情報を扱う公務所などにおいて、申請書などの書類を作成するに用いる記載台などに利用することができる。
【図面の簡単な説明】
【００１２】
【図１】サービススタンド外形の概要を示す斜視図である。
【図２】光源の並設を示す説明図である。
【図３】図１のＡ―Ａ´線における横断面図である。
【図４】ＡＴＭ等機器を複数並設する場合のサービススタンドの配置例を示す説明図である。
【符号の説明】
【００１３】
１    サービススタンド本体
２    開口部
３    発光ダイオード
４    発光ダイオード取付部材
５    突出部
６    開口部
７    板状体
８    取付金具
９    突出部取付部材
１０  ＡＴＭ
【図１】
2009169562.tif 000003
【図２】
2009169562.tif 000004
【図３】
2009169562.tif 000005
【図４】
2009169562.tif 000006
(57)【要約】      （修正有）【課題】カスタマイズ性、オリジナル性をユーザーが自由に表現できるようにする。【解決手段】従来のブログやSNSのあらゆるコンテンツを、フラッシュを利用して動的に表現することにより、文字情報によるコンテンツより視覚によるコンテンツを直感的操作性重視インターフェースにし、全ての操作をここで一括して行うことによりユーザーが自由に表現することを可能にする。【選択図】図５
2009169774.tif 000002
【特許請求の範囲】
【請求項１】
ブログやソーシャル・ネットワーキング・システム（ＳＮＳ）などに見られるおもなコンテンツを、フラッシュを利用して動的に表現することにより、文字情報によるコンテンツより視覚によるコンテンツをメインにすることを特徴とするＷＥＢシステム。
【請求項２】
前記ＷＥＢシステム内において、ブログやSNSなどに見られる日記コンテンツを、従来のHTMLを利用した文字情報によるものではなく、フラッシュを利用した動的な日記、らくがきやスタンプなど、表現の幅を広げた点を特徴とする請求項１記載のＷＥＢシステム。
【請求項３】
前記ＷＥＢシステム内において、ブログやSNSなどに見られる各ユーザーの検索、表示、リンクポータルなどのコンテンツを、タウンマップ・ワールドマップを利用した視覚化したコンテンツを用いていることを特徴とする請求項１記載のＷＥＢシステム。
【請求項４】
前記ＷＥＢシステム内において、ブログやSNSなどに見られる新着情報などの表示を新聞のテレビ欄の番組表をモチーフにした時系列表示にし、また各新着情報の状態をアイコンの追加により表現することを特徴とする請求項１記載のＷＥＢシステム。
【請求項５】
前記ＷＥＢシステム内において、ブログやSNSなどに見られるコメント数の表示を自分のページへ接続時に動的にふきだしで生成し表現することを特徴とする請求項１記載のＷＥＢシステム。
【請求項６】
前記ＷＥＢシステム内において、「javascript」「PHP」「actionscript」を利用した動的コンテンツの表現、ブログやSNSなどに見られる日記のカテゴリをブックとして表現し、また日記をそのページにみたて、該当するブックにページを追加するよう表現し、従来の文字情報から視覚的なコンテンツにすることを特徴とする請求項１記載のＷＥＢシステム。
【発明の詳細な説明】
【技術分野】
【０００１】
本発明は、インターネットにおけるWEBシステムに関する。
【背景技術】
【０００２】
従来のブログやソーシャル・ネットワーキング・システム（SNS）は、日々更新される日記的なWebサイトであり、または、友人・知人間のコミュニケーションを促進する手段や場、あるいは趣味や嗜好、居住地域、出身校、「友人の友人」といった自身と直接関係のない他人との繋がりを通じて新たな人間関係を構築する場を提供している。
【発明の開示】
【発明が解決しようとする課題】
【０００３】
しかしながら、従来のブログやSNSでは、記事・情報という文字情報による静的なコンテンツで構成されており、ビジュアル的に見て日記的なWebサイトになり、カスタマイズ性、オリジナル性をユーザーが自由に表現できない。
【課題を解決するための手段】
【０００４】
従来のブログやSNSのあらゆるコンテンツを、フラッシュを利用して動的に表現することにより、文字情報によるコンテンツより視覚によるコンテンツをメインにする。
【発明の効果】
【０００５】
従来のブログやSNSなどに見られるコンテンツをビジュアル化することにより、ゲーム的要素を高くすることで、カスタマイズ性・オリジナル性をユーザーが自由に表現できる。
【発明を実施するための最良の形態】
【０００６】
ブラウザはInternet Explorer 6.0あるいは7.0（ともにマイクロソフト社登録商標）が望ましい。
【実施例１】
【０００７】
以下、本発明の実施の形態として実施例を図１〜図５に基づいて説明する。
【０００８】
図１〜図５による基本的な画面レイアウトにより日記風のブログではなく、メイン画面（マイハウス）にFLASHを使用し、その他の項目においてもビジュアル化することによりゲーム的要素を高くする。また、マイページはフラッシュによる直感的操作性重視インターフェースにし、全ての操作をここで一括して行う。
【図面の簡単な説明】
【０００９】
【図１】画面レイアウト、入出力詳細設計書（マイハウス）である。
【図２】画面レイアウト、入出力詳細設計書（トップポータルページ）である。
【図３】画面レイアウト、入出力詳細設計書（マイハウス、他人から見たページ）である。
【図４】画面レイアウト、入出力詳細設計書（コンテンツページ）である。
【図５】画面レイアウト、入出力詳細設計書（マイハウス、サンプルページ）である。
【図１】
2009169774.tif 000003
【図２】
2009169774.tif 000004
【図３】
2009169774.tif 000005
【図４】
2009169774.tif 000006
【図５】
2009169774.tif 000007
(57)【要約】【課題】従来のホームページアクセス解析ソフトは、サーバー上に蓄積されたアクセスログよりアクセスの統計データを解析するものであり。アクセス結果からの閲覧者ごとに最適な情報ホームページ上に瞬時に表示するシステムではなかった。【解決手段】購買行動分析に有用な情報を付加したアクセスログ▲３▼を生成させ閲覧者▲１▼側のパソコンに蓄積し、アクセスログ解析ソフトウェアシステム▲４▼により個別にリアルタイムで個別の閲覧者にあった購買につながる最適な情報をホームページ上にＦＬＡＳＨ技術にて表示させる。【選択図】図１
2009169916.tif 000002
【特許請求の範囲】
【請求項１】
インターネットでのホームページ閲覧者のアクセス解析と同時に最適な情報を閲覧者ブラウザに表示ことを特徴とするソフトウェアシステム。
【請求項２】
前記ソフトウェアシステムはインターネットの購買分析用途で使うためにアクセスログにホームページに独自に設定した購買評価値を記載できることを特徴とする請求項１記載のソフトウェアシステム。
【請求項３】
前記ソフトウェアシステムは情報の提示にＦＬＡＳＨ技術を取り入れインタラクティブな表現や動画を含む動的なコンテンツも表示できることを特徴とする請求項１記載のソフトウェアシステム。
【発明の詳細な説明】
【技術分野】
【０００１】この発明は、インターネットアクセス解析および情報整理処理システムに関する。
【背景技術】
【０００２】  従来のアクセス解析ソフトは、図２のように閲覧者全体のアクセスログの集計より集計結果を分析すものである。個別閲覧者を特定できなくとも、一連のアクセスを行うユニークなユーザが特定でき、ウェブサーバのサイト内での動きを調べることで、サイトにアクセスしてきたユニークなユーザ及びユーザ数を調べる解析手法や解析装置が知られている。
【発明の開示】
【発明が解決しようとする課題】
【０００３】しかしながら、以上の技術によれば、アクセスログ全体からの統計データの提示および解析にとどまり閲覧者ごとの購買行動から即時動的にホームページ情報を変化させるにはいたらない。
そこで、この発明は、各ホームページに独自に設定された購買評価値を含む情報を閲覧者ごとにアクセスログとして生成し、閲覧者ごとの統計データを個別に分析し即時に最適な購買情報をホームページに表示させることを提供することを課題とする。
【課題を解決するための手段】
【０００４】以上の課題を解決するために、第一発明は、各閲覧者ごとのアクセスログをＷＥＢサーバー上ではなく閲覧者側のコンピュータに保存することにより閲覧者個別のアクセス行動を取得しやすくなり、即時取得データを解析し実際の閲覧者の見るホームページに最適情報を表示ことを特徴とするソフトウェアシステムである。
また、第二発明は、通常のアクセスログ情報以外に各ホームページに独自に設定された購買評価値を含めてアクセスログに記載生成ことを特徴とするソフトウェアシステムである。
また、第三発明は、アクセス解析結果にもとずくホームページ上情報の発信にＦＬＡＳＨ技術をとりいれインタラクティブなコンテンツや動画コンテンツを提示できることを特徴とするソフトウェアシステムである。
【発明の効果】
【０００５】  第一発明、または第二発明、第三発明によれば、サーバー側にアクセスデータの蓄積および解析をさせないためシステム開発が単純になり解析と解析結果応用が即時に可能となる。また独自の購買評価値を取り入れることが可能のため、最適情報の判定分析の幅がひろがる。表現にＦＬＡＳＨを使用することによりインタラクティブで動的な表現も可能となり幅広い表現方法が可能である。
【発明を実施するための最良の形態】
【０００６】  この発明の一実施形態を、図１に示す。
閲覧者は、ＷＥＢサーバーにアクセスしホームページ閲覧時にＷＥＢサーバーよりアクセスログファイルを受け取る。アクセスログには、ホームページごとに独自に設定された購買評価値やアクセス回数、サイトの閲覧順番、問い合わせ状況等のアクセスデータがアクセスログに瞬時に閲覧者側のパソコンに保存される。このデータをリアルタイムにインターネット上の解析プログラムで判定しＦＡＳＨで最適と思われる情報をホームページ上で表示する。【０００７】「実施形態の効果」
この実施形態によれば、非常にシンプルに閲覧者ごとのアクセス情報の取得および解析が可能となり、また即時にアクセス解析から最適なホームページ上の情報表示が表現豊かに可能となる。【０００８】「他の実施形態」
図１の実施形態では、解析および結果表示にＦＬＡＳＨ技術を使用するが、他の実施形態では、他のプログラム言語での同等機能実施のものでも良い。
【図面の簡単な説明】
【０００９】
【図１】本発明のソフトウェアシステム及びネットワークの全体構成を示す説明図である。
【図２】従来技術を示す説明図である。
【符号の説明】
【００１０】  １  閲覧者コンピュータ    ２  ＷＥＢサーバー
３  アクセスログ          ３  アクセス解析ソフトウェアシステム
４  ホームページ運営者コンピュータ
５  ＦＬＡＳＨによるインタラクティブなコンテンツ表示
【図１】
2009169916.tif 000003
【図２】
2009169916.tif 000004
(57)【要約】【課題】本発明は、インターネットやテレビや雑誌等の広告の場や直営店以外の販売店を介さずに、商品販売・情報提供を行う販売方法を提供します。【解決手段】生産者が作成した電子データを消費者の有するカードに直接書き込むため、両者間に第三者的企業を存在させない。そのため、各店舗へデータを配信して備えておく。【選択図】図１
2009169920.tif 000002
【特許請求の範囲】
【請求項１】
自社で製作した映像や音楽のデジタル情報を各店舗等へ配信して、そのデータを直接消費者へ提供することにより、販売を行うビジネススタイル。
【発明の詳細な説明】
【技術分野】
【０００１】  本発明は、自社で製作した映像や音声などの情報をデジタルデータ化し各店舗へ配信・消費者へ直接提供することによって、店舗で情報を書き込んだ消費者に商品を販売するというビジネスモデルに関するものである。
【背景技術】
【０００２】  従来の販売方法は、直営店で販売する以外全て消費者と生産企業との間に、広告の場や取扱店舗のような第三者的企業が存在した。
【発明の開示】
【発明が解決しようとする課題】
【０００３】  生産者と消費者の間に企業が存在することで次のことを問題と考える。
・生産者は広告を行う企業への広告料金やスポンサー料金を必要とされ消費者は情報を得るために、通信費や雑誌の購入費などを必要とされる。
・インターネットという広告の場には、ウィルス感染やネット犯罪という社会的問題に巻き込まれる危険性が潜んでいる。
・テレビ放送による販売は、放送時間帯が限られる。
・雑誌やちらし等は、多量の紙を消費している。
・産地直送という販売方法は、産地から直送されるだけであり、販売価格はスーパー等の販売店の利益を含んでいる。（産地直売ではない）
本発明は、これらの問題を解決するためになされた販売方法である。
【課題を解決する手段】
【０００４】  自社で製作した情報を広告等の第三者を介さず直営の店舗等へデータ配信し消費者へ直接情報提供することにより、商品販売を行います。
【発明の効果】
【０００５】  ・生産者と消費者との間に通信が存在しなければ、それぞれに費用が必要ない。
また両者間に第三者が入り込む恐れがなく、ウィルスや犯罪の被害がない。
・一枚のカードに多くの企業情報を得ることが可能。
・ペーパレスである。
・静止画だけでなく、動画や音楽も視聴可能。
・選挙演説などの映像を有権者のカードに提供するなど、販売以外の応用も可能。
・生産者から消費者へのメッセージを文字でなく表情や声で伝えることが可能。
【発明を実施するための最良の形態】
【０００６】  以下、本ビジネスモデルの形態を説明する。
（イ）  企業が独自にビデオカメラやデジタルカメラ等を利用して情報を作成し、電子データ化する。
（ロ）  社内にて、各店舗・各支社へ、データを配信する。
（ハ）  各店舗・各支社が情報提供者となり、消費者の有する記憶媒体に直接データを書き込む。
（ニ）  消費者は、情報を視聴して商品を発注する。
【図面の簡単な説明】
【０００７】
【図１】  本ビジネスモデルのフロー図
【符号の説明】
【０００８】  ▲１▼：本社内サーバ
▲２▼：各店舗内サーバ・ライタ
▲３▼：消費者持参のメモリーカード
▲４▼：消費者保有のカードリーダ
【図１】
2009169920.tif 000003
(57)【要約】【課題】従来のモバイル端末を操作しないときに表示するＦｌａｓｈコンテンツでは、最も効率がよいタイミングで他のコンテンツへの訴求効果を持った情報を提供することができなかった。【解決手段】「通常時に表示するコンテンツ」「情報提供時に表示するコンテンツ」「特定の条件を満たすときに表示を切り替えるシステム」を含んだＦｌａｓｈコンテンツを配信する。【選択図】図１
2009169917.tif 000002
【特許請求の範囲】
【請求項１】
モバイル端末を操作しない時に表示するＦｌａｓｈコンテンツで、コンテンツの内部に他のコンテンツへの訴求効果を持った情報とモバイル端末の端末情報を利用するプログラムを含んでおり、決められた条件を満たす時にのみ情報を表示することができるシステム。
【発明の詳細な説明】
【技術分野】
【０００１】  この発明は、モバイル端末上で他のコンテンツへの訴求効果を持った情報を含んだＦｌａｓｈコンテンツを提供するためのシステムに関する。
【背景技術】
【０００２】  従来、モバイル端末を操作しないときに表示するＦｌａｓｈコンテンツは、静止画像やあらかじめ決められたアニメーションを表示するコンテンツであった。
【発明の開示】
【発明が解決しようとする課題】
【０００３】しかしながら、以上の技術によれば、決められた条件時に他のコンテンツへの訴求効果を持った情報を表示することはできない。そこで、この発明は、内部に他のコンテンツへの訴求効果を持った情報を含んだＦｌａｓｈコンテンツをモバイル端末の端末情報を利用して提供することを課題とする。
【課題を解決するための手段】
【０００４】  以上の課題を解決するために、第一発明は、Ｆｌａｓｈコンテンツの内部に他のコンテンツへの訴求効果を持った情報を含んでおり、モバイル端末の端末情報に合わせて情報を表示するシステムを組み込んでいることを特徴とする。
【発明の効果】
【０００５】  第一発明によれば、モバイル端末の端末情報を利用しているため、訴求効果が一番高いタイミングで情報を提供することができる
【発明を実施するための最良の形態】
【０００６】  この発明の一実施形態を、図１に示す。
配信を行なうＦｌａｓｈコンテンツには、「通常時に表示するコンテンツ」「情報提供時に表示するコンテンツ」「特定の条件を満たすときに表示を切り替えるシステム」が含まれており、このＦｌａｓｈコンテンツをコンテンツ配信サーバに設置し、インターネット経由もしくは直接ケーブルで接続することによりモバイル端末にコンテンツを保存する。保存されたコンテンツを利用者がモバイル端末を操作しない時の表示コンテンツとして設定することで、利用者への情報提供を行なう。【０００７】「実施形態の効果」
この実施形態によれば、最も効率がよいタイミングでモバイル端末の利用者に対して決められた条件時に他のコンテンツへの訴求効果を持った情報を表示することが可能になる。【０００８】「他の実施形態」
図１の実施形態では、あらかじめ用意されたＦｌａｓｈコンテンツを用いて配信していたが、他の実施形態では、図２に示す通り、Ｆｌａｓｈコンテンツ内部に含める情報を別途用意し、コンテンツ生成サーバを用いて配信時に動的に情報を内部に含めて配信するようにしても良い。
【図面の簡単な説明】
【０００９】
【図１】この発明の一実施形態を示すシステム構成図である。
【図２】この発明の他の実施形態を示すシステム構成図である。
【図１】
2009169917.tif 000003
【図２】
2009169917.tif 000004
(57)【要約】      （修正有）【課題】ＵＳＢに内蔵されているＯＳをＢＩＯＳの設定変更なしで起動、また、ＵＳＢ本体のＲＡＭ領域内に保存されているデータの読み取りを防止する。【解決手段】ＵＳＢ自己環境起動メモリー（ＳＥＳ）をパソコンに差し込み、自動的にＩＤを認識し、パスワードを入力することで、自分の操作環境を伴ったパソコンとして使用する。またメモリー領域を３ブロックに分けて、その一ブロックを外部より全く見えなくする手段により不正使用を防止する。フロッピー及びＣＤ−ＲＯＭと認識させることで、ＳＥＳメモリーに内蔵されたＯＳを起動させる。【選択図】図１
2009169922.tif 000002
【特許請求の範囲】
【請求項１】
クライアントが挿し抜き式ＵＳＢ小型デバイスをパソコンに差し込むだけで、自動的にＩＤを認識し、パスワード入力することによって、Ｌｉｎｕｘ  ＯＳが立ち上がり、又クライアントに必要なアプリケーションソフトをもこの挿し抜き式ＵＳＢ小型デバイスに内蔵し、簡単に自分の操作環境を伴ったパソコンとして使用することが出来るようにしたシステム。この挿し抜き式ＵＳＢ小型デバイスをＵＳＢ自己環境起動メモリー（ＵＳＢ−Ｓｅｌｆ  Ｅｎｖｉｒｏｎｍｅｎｔ  Ｓｔａｒｔｉｎｇ  Ｍｅｍｏｒｙ、以下ＳＥＳメモリー）と呼ぶ。なおデータの保存もこのＳＥＳメモリーにできるほか、ＨＤＤ、サーバーなどにも保管することができるシステム。
【請求項２】
このＳＥＳメモリーは、パソコンからＵＳＢ−ＨＤＤ（フラッシュメモリ）と認識されるだけでなく、切り替えスイッチにより、ＣＤ−ＲＯＭ、またはフロッピーディスクと認識させることもでき、通常内蔵ＨＤＤに別のＯＳが入ったパソコンであっても、ＳＥＳメモリーに搭載されたＬｉｎｕｘ  ＯＳが最初に起動できる可能性を高め、自分の操作環境を元のパソコンのＢＩＯＳ設定を変えなくても実現するシステム。
【発明の詳細な説明】
【技術分野】
【０００１】ＳＥＳメモリーはメモリー領域を３ブロックに分けることで、通常のＵＳＢメモリーとしても使用することが出来るほか、ＣＤ−ＲＯＭのように見える領域と、全く何も見ることが出来ない領域を作ることにより、ＵＳＢメモリー本体のＲＯＭ領域にクライアント用のＬｉｎｕｘ  ＯＳをインストールし、クライアント用のＩＤやパスワード、サーバーへの接続設定といったデータは、全く見えない領域のＲＯＭに記録する。このＲＯＭ領域はＷｉｎｄｏｗ  ＯＳ上からでも該領域のデータを見ることができない。またクライアント用ＯＳを起動し、ＩＤ、パスワードを認証するため、本人以外の不正使用が著しく困難である。
【背景技術】
【０００２】通常のパソコンでは、電源を入れるとまずＢＩＯＳが起動し、このＢＩＯＳが自動的にＯＳを動作させるという手順をとる。ＢＩＯＳはブート可能なＯＳを見つけに行くディスクドライブの順序があり、一般的にはフロッピーやＣＤ−ＲＯＭといった外部のディスクドライブを探した後、ＨＤＤディスクドライブを探すような設定になっている。（クライアントが自分で変更している場合もある。）このＳＥＳメモリーは、これらの手順をパソコン本体のハードウエアを利用し、フロッピー及びＣＤ−ＲＯＭとして認識させることができる。こうすることよって、ＳＥＳメモリーに備わったＯＳを起動させることができる。
【発明の開示】
【発明が解決しようとする課題】
【０００３】従来のＵＳＢ製品は、パソコンにＵＳＢ製品を本体に接続すると、ＵＳＢ本体のＲＡＭ領域内に保存されているデータを読み取ることができるという問題があった。ＵＳＢ本体をなくしたり、盗まれたりした場合、不正に使用される危険性があった。
又、ＵＳＢに内蔵しているＯＳを起動させる場合、既存のＢＩＯＳがＵＳＢ接続機器の読み込む順序が下位にあるため、自動的には起動しなかった。
さらに、Ｌｉｎｕｘ  ＯＳを使用したいクライアントは、通常自身でインストール、設定などを行わなければならず、その操作が困難であった。
【課題を解決するための手段】
【０００４】以上の課題を解決するために、本製品はこれを３ブロックに領域を分けて、その−ブロックを外部より全く見えなくする手段により不正に使用されることを解決した。又、通常のパソコンでは、電源を入れるとまずＢＩＯＳが起動し、このＢＩＯＳが自動的にＯＳを動作させる手段をとる。ＢＩＯＳはＯＳを見つけに行くディスクドライブの順番があり、一般的にはフロッピーやＣＤ−ＲＯＭといった外部のディスクドライブを探した後、ＨＤＤディスクドライブを探すような設定になっている。（クライアントが自分で変更している場合もある。）このＳＥＳメモリーは、これらの手順をパソコン本体のハードウエアを利用し、フロッピー及びＣＤ−ＲＯＭと認識させる。こうすることによって、ＳＥＳメモリーに内蔵されたＯＳを起動させることができる。またこのＳＥＳメモリーにＬｉｎｕｘ  ＯＳを内蔵しておけば、クライアントは煩雑な作業をすることなく、ＳＥＳメモリーをパソコンに差し込むだけで、Ｌｉｎｕｘ  ＯＳを起動することができる。
【発明の効果】
【０００５】本発明によれば、クライアントが通常使用しているパソコン以外でも、このＳＥＳメモリーを挿し、電源を入れるだけで簡単にクライアントのパソコンの自己環境を起動することができ、非常に便利である。
特に、外出先や出張先のホテルなど、普段は使用していないパソコンでも簡単に自分のパソコンとして利用できる。このように何処でも使えるような設定を行うには、現状は大変な手間が掛かる。ＳＥＳメモリーを挿すだけで簡単にクライアント仕様とすることが出来る為、これらの不便さを回避できるものである。
【発明を実施するための最良の形態】
【０００６】この発明の実施形態を、図１に示す。
【図面の簡単な説明】
【０００７】
【図１】この発明の実施形態を示す図である。１を２へ挿入する。２は１に内蔵されたＬｉｎｕｘ  ＯＳを自動的に起動する。２は３を経由してインターネットを経由してサーバーなどへアクセスする。
【符号の説明】
【０００８】１  ＵＳＢ機器
２  ＵＳＢインターネットフェイスを備えたコンピュータ
３  インターネット
４  サーバー
【図１】
2009169922.tif 000003
(57)【要約】      （修正有）【課題】カメラの三脚は、近年の小型デジタルカメラやカメラ付き携帯電話と比較して大きく、荷物になり、持ち歩きがしにくい。【解決手段】小型デジタルカメラ、又は、携帯電話を、円形の物１のアとイの部分で挟み、次いで円形の物１を台２に挟んで留めて固定する。その際、円形の物１を回して台２に留めることができるので、カメラの角度を任意に変えてセルフタイマーで写真を撮ることが出来る。【選択図】図１
2009169369.tif 000002
【特許請求の範囲】
【請求項１】
小型デジタルカメラ、又は、携帯電話を円のバネを利用して、前後から挟む方法。
【請求項２】
請求事項１、で挟んだ物を、円を利用して前後に回して、カメラの角度を変えて留める方法。
【請求項３】
請求事項１、で挟んだ円型の物と下に置く平たい台とを、円型の物を動かしても自由に留める方法。
【発明の詳細な説明】
【技術分野】
【０００１】  本発明は、小型デジタルカメラ、又は、携帯電話のセルフタイマーで写真を撮る、ことに関する。
【背景技術】
【０００２】  カメラは三脚がありセルフタイマーで写真を撮ることが出来るが三脚は、持ち運びに場所をとり、荷物になり旅行などに不便である。
【非特許文献１】前回特許願の整理番号０１。
【発明の開示】
【発明が解決しようとする課題】
【０００３】  小型、軽量でいつでも持ち歩きが出来て、手軽に一人で写真を撮ることができるものである。
【課題を解決するための手段】
【０００４】  小型デジタルカメラ、又は、携帯電話を前後から円形の物で挟み円を利用して動かして、カメラの角度を自由に変えて、セルフタイマーで写真を撮る、ことを目的とするものである。
【発明の効果】
【０００５】  小型、軽量でいつでも持ち歩きが出来て、手軽にカメラのセルフタイマーで、写真が撮れることを可能にする。
【図面の簡単な説明】
【０００６】
【図１】本発明の斜視図
【符号の説明】
【０００７】  （１）カメラを、バネも利用して挟んで置く台。
（２）（１）の円を利用し回して、カメラの角度を変える事が出来、そして、（１）を挟んで留めて置くことが出来る台。
（ア）と（イ）は、カメラをバネになっているので挟み留められる所。
（ウ）は、（１）を挟んでバネになっているので留められる所。
【図１】
2009169369.tif 000003
(57)【要約】      （修正有）【課題】ギターを床と壁面などを利用して安定よく立てかけると共に小型軽量化を図ったギター用支持具を提供する。【解決手段】ギターの胴を下部で支える左右一対の平行する部材１と、この平行部材に接続して、床面に接する左右一対の下方に凸状のカーブを有する支持部２を有し、この平行部材よりも高い位置の後部に連結材を配置し、床面に接する左右の支持材の幅方向の間隔がこの平行部材より広く設置する。【選択図】図１
2009169370.tif 000002
【特許請求の範囲】
【請求項１】
ギターを床面と壁面などを利用して立てかけるための支持具において、ギターの胴を下部で支える左右一対の平行する部材と、この平行部材に接続して、床面に接する左右一対の下方に凸状のカーブを有する支持部と、これら左右の支持材を支持具の後部で互いに連結し、かつギターの胴を後部から保持するように、ギターの胴を下部で支える一対の平行部材よりも、この連結材の上縁が高い位置になるように配置されてなるギター支持具。
【請求項２】
前記ギター支持具において、ギターの胴を下部で支える左右一対の平行部材に対し、床面に接する左右一対の支持部の幅方向の間隔が広くなるように配置されてなるギター支持具。
【発明の詳細な説明】
【技術分野】
【０００１】  本発明は、ギターを床面と壁面などを利用して立てかけるための支持具に関する。
【背景技術】
【０００２】  従来は、ギターを床面と壁面などを利用して立てかけるための簡易で安定した支持装置がなかった。
【発明の開示】
【発明が解決しようとする課題】
【０００３】  ギターを床面の上に立てるためのスタンドが市販されているが、大型のため高価でかつ持ち運びにも不便であった。また、適切な支持具がない場合には、床と壁面などを利用して立てかけたギターが滑ったり横に倒れたりして、ギターを傷つける恐れがあった。
【課題を解決するための手段】
【０００４】  ギターを床面と壁面などを利用して立てかけるための支持具において、ギターの胴を下部で支える左右一対の平行する部材によって、立てかけたギターが横に倒れないようにするとともに、この平行部材に接続して、床面に接する左右一対の下方に凸状のカーブを有する支持部を設けることによって、ギターを立てかける傾斜角度を自由に選べるようにし、この平行部材よりも後部の高い位置に連結材の上縁を配置して、ギターの胴を後部から保持することによって、ギターを支持具により載せやすくし、かつギターが支持具から外れにくくするようにする。【０００５】  ギターの胴を下部で支える左右一対の平行部材に対し、床面に接する左右一対の支持材の幅方向の間隔が広くなるように配置することによって、ギターをより安定して支持するとともに、ギターを支持具に載せるとき支持具が横に倒れないようにする。
【発明の効果】
【０００６】  本発明のギター支持具を用いることによって、大型で高価なギタースタンドを用いなくても、ギターを安定して床面と壁面などを利用して立てかけることができるだけでなく、本支持具は小型軽量安価なため、気軽にギターケースに収納してギターと一緒に持ち運ぶことができる利点を有する。【０００７】  本発明のギター支持具はまた、独立した用具であるため、ギター本体に取り付ける必要がなく、ギター本体に加工を加えたり、演奏時に邪魔になったりすることがない。【０００８】  本発明のギター支持具はまた、ギター以外の楽器、たとえばヴァイオリン、三味線などの弦楽器や、トロンボーンなど床面に立てにくい楽器などにも使用できる。
【発明を実施するための最良の形態】
【０００９】  本発明のギター支持具は、請求項１および２に示された特徴即ち、ギターの胴を下部で支える左右一対の平行する部材と、この平行部材に接続して、床面に接する左右一対の下方に凸状のカーブを有する支持部を有し、この平行部材よりも後部の高い位置に連結材の上縁を配置し、床面に接する左右一対の支持材の幅方向の間隔がこの平行部材より広く設置されているという特徴があればどのような形態でもよく、支持具全体の大きさも、前後方向の長さはおおよそ１２センチ乃至１５センチ、高さは凡そ３センチ乃至５センチ、幅は凡そ１５センチ乃至２０センチ程度あれば十分である。
【実施例】
【００１０】  本発明のギター支持具は、使用する材料によってさまざまな形態が考えるため、以下図１、図２及び図３によって、代表的な実施例を示す。
【図面の簡単な説明】
【００１１】
【図１】は、金属製の丸棒を用いて形成された支持具の例を示す。
【００１２】
【図２】は、金属板を成形してなる形態の支持具の例を示す。
【００１３】
【図３】は、樹脂材もしくは木材を成形してなる形態の支持具の例を示す。
【００１４】
【図４】は、図１の支持具を用いて、ギターを床面と壁面などを利用して立てかけた状態を示す。
【符号の説明】
【００１５】（１）ギターの胴を下部で支える平行部材
（２）床面に接する支持部
（３）連結材の上縁部
（４）ギター
（５）床面
（６）壁面
【図１】
2009169370.tif 000003
【図２】
2009169370.tif 000004
【図３】
2009169370.tif 000005
【図４】
2009169370.tif 000006
(57)【要約】【課題】  広告幕（懸垂幕）を緑化し、脱着可能な広告部と潅水用パイプを取り付けたものを提供する。【解決手段】所定の広告文字や図形にレイアウト済みのカッティングシート等の広告部（１）を貼付けた樹脂製ネット（２）と樹脂製あるいは金属製の設置用ネット（３）の間に植栽物を植生させた植生マット（４）を間に設け上部に潅水用パイプ（５）を設けた広告幕を特徴とする。【選択図】図１
2009169367.tif 000002
【特許請求の範囲】
【請求項１】
所定の広告文字や図形にレイアウト済みのカッティングシート等の広告部（１）を貼付けた樹脂製ネット（２）と、樹脂製あるいは金属製の設置用ネット（３）の間に、植栽物を植生させた植生マット（４）を間に設け本体とし、本体の上部に潅水用パイプ（５）を設けた広告幕。
【発明の詳細な説明】
【発明の詳細な説明】
【技術分野】
【０００１】  この発明は、広告幕（懸垂幕）を植生マットで緑化し、脱着可能な広告部と潅水用パイプを取り付けたものである。
【背景技術】
【０００２】  従来、広告幕（懸垂幕）は、素材そのものに印字するため再利用ができない。
また、建築物壁面等の緑化には建物そのものに植栽物が植生することや、設置工事によるダメージがかかることがあり、潅水などメンテナンスが必要であった。
【発明が解決しようとする課題】
【０００３】  これには次のような欠点があった。
イ．広告幕（懸垂幕）は素材そのものに印字するため再利用ができない。
ロ．広告幕（懸垂幕）は、建築物における設置面積に対して環境対策が特になされていない。
ハ．緑化植物による建築物壁面等の緑化には、建物そのものに植栽物が植生することや設置工事によるダメージがかかることがあり、別途、潅水などのメンテナンスが必要であった。
本発明は、以上の欠点を解決するためになされたものである。
【課題を解決するための手段】
【０００４】  所定の広告文字や図形にレイアウト済みのカッティングシート等の広告部（１）を貼付けた樹脂製ネット（２）と樹脂製あるいは金属製の設置用ネット（３）の間に植栽物を植生させた植生マット（４）を間に設け本体とし、本体の上部に潅水用パイプ（５）を設けた広告幕。
本発明は、以上の構成よりなる壁面広告幕である。
【発明を実施するための最良の形態】
【０００５】以下、本発明の実施の形態を説明する。
（イ）広告部（１）を貼付けた樹脂製ネット（２）との間に植栽物を植生させた植生マット（４）を設置用ネット（３）で挟む。
（ロ）上部に潅水用パイプ（５）を設ける。
本発明は、以上の構成よりなっている。
本発明を使用するときは、広告部（１）のみ取り替えるだけで再利用可能で、大掛かりな緑化工事をすることなく簡易に設置することができ、環境対策に特化した広告幕（懸垂幕）として掲出することができる。
【発明の効果】
【０００６】本発明を使用することによって、建築物の壁面等に従来の広告幕（懸垂幕）として簡易に設置・掲出することができ、緑化植物による二酸化炭素の吸収と断熱効果でヒ−トアイランド現象を緩和し、省エネルギーや地球温暖化対策に効果がある。
しかも、建築物を痛めることもない。
【図面の簡単な説明】
【図１】本発明の分解斜視図
【図２】本発明の使用状態を示す斜視図
【符号の説明】
１  広告部
２  樹脂製ネット
３  設置用ネット
４  植生マット
５  潅水用パイプ
【図１】
2009169367.tif 000003
【図２】
2009169367.tif 000004